(57)【要約】【課題】緩衝環によって作業者の落下時の衝撃を吸収するようにした高所作業用安全帯がＵ字つり状態で使用されるのを防止することである。【解決手段】胴ベルト１と巻取器３の巻取ケース４とを連結する緩衝環１０に、胴ベルト１に連結されるベルト連結用ロッド１１と、巻取器３に連結される器具連結用ロッド１２と、その両ロッド１１、１２の端部間に渡された一対の緩衝用ロッド１３とを設ける。一対の緩衝用ロッド１３を巻取ケース４の端部外周に沿って折曲げて複数の屈曲部Ｃ１　乃至Ｃ９　を設け、その緩衝用ロッド１３と巻取ケース４の端部外周面間に形成される隙間を巻取器３で巻取られるベルト５の先端のフック６が挿通不可能な大きさとして、フックを先端に有する補助ランヤードが胴ベルト１に連結されている場合において、その補助ランヤードの先端のフックが緩衝用ロッドに係合されるのを防止し、補助ランヤードによるＵ字つりの使用を禁止する。【選択図】　図１
2004033398.tif 000002
【特許請求の範囲】
【請求項１】
バックルを有する胴ベルトと、その胴ベルトの表面側に設けられ、先端にフックが取付けられたベルトを巻取る巻取器と、その巻取器と胴ベルトとを連結する緩衝環とから成り、前記緩衝環に形成された屈曲部の伸長によって前記ベルトに付与される衝撃力を緩衝するようにした高所作業用安全帯において、前記緩衝環に胴ベルトに連結されるベルト連結用ロッドと、巻取器の巻取ケースに連結される器具連結用ロッドと、その両ロッドの両端間に渡る一対の緩衝用ロッドとを設け、前記一対の緩衝用ロッドを巻取ケースの端部外周に沿って折曲げて衝撃力吸収用の複数の屈曲部を設け、前記一対の緩衝用ロッドと巻取ケースの外周間に形成された隙間の大きさを前記フックの先端部が挿通不可能な大きさとしたことを特徴とする高所作業用安全帯。
【請求項２】
前記緩衝環に形成された複数の屈曲部の少なくとも一つを両端から中央部に向けて軸径を次第に大きくした請求項１に記載の高所作業用安全帯。
【発明の詳細な説明】
【０００１】
【発明の属する技術分野】
この発明は、高所での作業において着用される高所作業用安全帯に関するものである。
【０００２】
【従来の技術】
この種の高所作業用安全帯として、胴ベルトに緊急ロック式の巻取器を連結し、その巻取器によって巻取られたベルトの先端に安全装置付きのフックを取付けたものが知られている。
【０００３】
上記高所作業用安全帯においては、高所作業者の腰部に胴ベルトを巻締め、巻取器から引き出されたベルトの先端のフックを構築物等の固定部に係合することにより、作業者が万一足を踏み外して落下した場合、巻取器からベルトが急激に引き出され、その急激な引き出しによってベルトはロックされるため、緊張するベルトによって作業者を受け止めることができる。このため、作業者の墜落を防止し、安全性を確保することができるという特徴を有する。
【０００４】
しかしながら、作業者が落下した場合、ベルトは緊張し、その緊張するベルトによって作業者が受け止められるため、作業者にきわめて大きな衝撃力が加わり、その衝撃力によって作業者が怪我をする危険があった。
【０００５】
そのような不都合を解消するため、特開平８−８４７８０号公報においては、胴ベルトと巻取器とを緩衝環によって連結し、その緩衝環に形成された屈曲部の伸長によってフック付きのベルトに付与される衝撃力を緩衝するようにした高所作業用安全帯を提案している。
【０００６】
上記高所作業用安全帯においては、ベルトをジグザグに折畳んで縫製を施したベルト式緩衝体をベルトとフックの連結部間に設けた高所作業用安全帯に比較して、重量の軽減と取扱い性の向上およびコストの低減を図ることができるという特徴を有している。
【０００７】
【発明が解決しようとする課題】
ところで、緩衝環によってベルトに付与される衝撃力を緩衝するようにした上記高所作業用安全帯においては、緩衝環に対してフックが係合可能であるため、同様のフックが取付けられた補助ランヤードが胴ベルトに接続されている場合に、その補助ランヤードの先端のフックが緩衝環に係合されるおそれがあり、安全帯の規格に定められた１本つり専用安全帯によるＵ字つりの使用禁止を遵守することができないという問題がある。
【０００８】
この発明の課題は、補助ランヤードによるＵ字つりの使用を確実に禁止することができる緩衝効果の高い取扱い性に優れたコストの安い高所作業用安全帯を提供することである。
【０００９】
【課題を解決するための手段】
上記の課題を解決するために、この発明においては、バックルを有する胴ベルトと、その胴ベルトの表面側に設けられ、先端にフックが取付けられたベルトを巻取る巻取器と、その巻取器と胴ベルトとを連結する緩衝環とから成り、前記緩衝環に形成された屈曲部の伸長によって前記ベルトに付与される衝撃力を緩衝するようにした高所作業用安全帯において、前記緩衝環に胴ベルトに連結されるベルト連結用ロッドと、巻取器の巻取ケースに連結される器具連結用ロッドと、その両ロッドの両端間に渡る一対の緩衝用ロッドとを設け、前記一対の緩衝用ロッドを巻取ケースの端部外周に沿って折曲げて衝撃力吸収用の複数の屈曲部を設け、前記一対の緩衝用ロッドと巻取ケースの外周間に形成された隙間の大きさを前記フックの先端部が挿通不可能な大きさとした構成を採用したのである。
【００１０】
上記のように、緩衝環の緩衝用ロッドと巻取器の巻取ケース間に形成される隙間の大きさをフックの先端部が挿通不可能な大きさとすることによって、胴ベルトにフック付きの補助ランヤードが接続されている場合に、その補助ランヤードのフックが緩衝環に係合されるのを防止することができ、高所作業用安全帯の重量軽減と、取扱い性の向上およびコストの低減を図ることができるという効果を確保する状態で補助ランヤードによるＵ字つりの使用を確実に禁止することができる。
【００１１】
ここで、緩衝環に形成された複数の屈曲部の少なくとも一つを両端から中央部にむけて軸径を次第に大きくすることによって、緩衝環の緩衝効果を高めることができ、高所作業用安全帯の安全性の向上を図ることができる。
【００１２】
【発明の実施の形態】
以下、この発明の実施の形態を図面に基づいて説明する。図１に示すように、胴ベルト１は端部にバックル２を有している。胴ベルト１の表面上には巻取器３が設けられている。
【００１３】
巻取器３は巻取ケース４内に設けられた図示省略のドラムによってベルト５を巻取り、そのベルト５の引き出しによりドラムが回転すると図示省略した巻ばねが弾性変形し、その巻ばねの復元弾性によりドラムを復帰回転させてベルト５を巻取るようになっている。
【００１４】
また、巻取器３は、ベルト５が急激に引き出されるとロック機構が作動してドラムをロックし、ベルト５の引き出しを直ちに停止させるようになっている。ベルト５の先端には安全装置付きのフック６が取付けられている。
【００１５】
図３に示すように、巻取ケース４の胴ベルト１と対向する背面にはベルト通し７が設けられ、そのベルト通し７に胴ベルト１が挿通されている。
【００１６】
胴ベルト１には緩衝環取付け用のプレート８が取付けられている。プレート８は並列に配置された２本のベルト挿通孔９を有し、各ベルト挿通孔９に対する胴ベルト１の挿通によってプレート８は取付け状態とされている。
【００１７】
プレート８のベルト挿通孔９に対する胴ベルト１の挿通によってプレート８の表面側にベルト折曲げ部１ａが形成され、そのベルト折曲げ部１ａと巻取器３の巻取ケース４間にベルト５に付与される衝撃力を緩衝する緩衝環１０が設けられている。
【００１８】
図２乃至図５に示すように、緩衝環１０は、胴ベルト１に連結されるベルト連結用ロッド１１と、巻取ケース４に連結される器具連結用ロッド１２と、その両ロッド１１、１２間に渡された一対の緩衝用ロッド１３とから成り、前記一対の緩衝用ロッド１３は巻取ケース４の端部外周に沿うように折曲げられて複数の屈曲部が設けられている。
【００１９】
実施の形態では、緩衝用ロッド１３のベルト連結用ロッド１１側の一端部に巻取ケース４に向けてほぼ９０°折れ曲がる第１屈曲部Ｃ１　を設け、その第１屈曲部Ｃ１　に連設された第１軸部Ｓ１　の端部に上向きにほぼ９０°折曲がる第２屈曲部Ｃ２　を形成し、その第２屈曲部Ｃ２　に連設された第２軸部Ｓ２　の上端に前側に向けてほぼ１８０°折曲げられた第３屈曲部Ｃ３　を設けている。
【００２０】
また、第３屈曲部Ｃ３　に連設された第３軸部Ｓ３　の下端部に前側に向けてほぼ９０°折曲げられた第４屈曲部Ｃ４　を設け、この第４屈曲部Ｃ４　に連設されて第１軸部Ｓ１　にほぼ平行する第４軸部Ｓ４　の端部に内方に向けてほぼ９０°折曲がる第５屈曲部Ｃ５　を設け、この第５屈曲部Ｃ５　の端部に連設されてベルト連結用ロッド１１とほぼ平行する第５軸部Ｓ５　の端部に上方に向けてほぼ１８０°折曲がる第６屈曲部Ｃ６　を形成している。
【００２１】
さらに、第６屈曲部Ｃ６　の端部に上方に向けてほぼ９０°折曲がる第７屈曲部Ｃ７　を形成すると共に、その第７屈曲部Ｃ７　の端に後方に向けてほぼ１８０°折曲がる第８屈曲部Ｃ８　を設け、この第８屈曲部Ｃ８　の端部に内向きにほぼ９０°折曲がって器具連結用ロッド１２に至る第９屈曲部Ｃ９　を形成している。
【００２２】
上記の構成から成る緩衝環１０において、ベルト連結用ロッド１１はプレート８とベルト折曲げ部１ａ間に配置されて胴ベルト１に連結され、そのベルト連結用ロッド１１の外側に周方向の一部が軸方向に切り離された合成樹脂から成るスリーブ１４が嵌合されている。一方、器具連結用ロッド１２は巻取ケース４の膨出部４ａに形成された挿入孔１５に挿入されている。
【００２３】
緩衝環１０の上記のような取付け状態において、緩衝用ロッド１３に設けられた第１屈曲部Ｃ１　と第５屈曲部Ｃ５　は巻取ケース４の端部コーナと対応する位置に臨み、上記第１屈曲部Ｃ１　から第５屈曲部Ｃ５　に至る部分が巻取ケース４の側面と対向すると共に、第５屈曲部Ｃ５　から第７屈曲部Ｃ７　に至る部分が巻取ケース４の端面と対向する。また、第７屈曲部Ｃ７　は膨出部４ａのコーナ部に対向し、その第７屈曲部Ｃ７　から第９屈曲部Ｃ９　に至る部分は膨出部４ａの側面と対向する。
【００２４】
このように、緩衝用ロッド１３は巻取ケース４の外周に沿った形状とされ、その緩衝用ロッド１３と巻取ケース４の外周面間に形成された隙間は、フック６の先端が挿入不可能な大きさとされている。
【００２５】
図６は、緩衝環１０の形成途中の状態を示し、同図に示す片側３本の鎖線ｌ１　、ｌ２　、ｌ３　の１つの鎖線に沿って折曲げることにより第１屈曲部Ｃ１　と第５屈曲部Ｃ５　とが形成されて完成品とされる。このとき、３本の鎖線ｌ１　、ｌ２　、ｌ３　で示す折曲げ位置を選択することによって幅寸法が異なる数種の胴ベルト１と対応する緩衝環１０を得ることができる。
【００２６】
前記緩衝環１０において、緩衝用ロッド１３に形成された第１屈曲部Ｃ１　乃至第９屈曲部Ｃ９　のうち、少なくとも一つの屈曲部は両端から中央に向けて軸径が次第に大きくされている。
【００２７】
緩衝環１０はＳＳ４００、ＳＣＭ４１５等の靱性を有する材料を素材としている。
【００２８】
実施の形態で示す高所作業用安全帯は上記の構造から成り、高所での作用に際しては、胴ベルト１を腰部に巻締め、巻取器３の巻取ケース４からベルト５を引き出し、その先端のフック６を構築物等の固定部に係合して安全性を確保する。
【００２９】
上記のような使用状態において、作業者が万一足を踏み外して落下すると、巻取器３からベルト５が急激に引き出されるため、巻取器内に組込まれたロック機構が作動してベルト５を緊急停止し、作業者は緊張状態のベルト５で受け止められて墜落するのが防止される。
【００３０】
このとき、緩衝環１０に衝撃力が付与される。その衝撃力が大きい場合、緩衝用ロッド１３に形成された第１屈曲部Ｃ１　乃至第９屈曲部Ｃ９　が伸長し、その伸長によって衝撃力が緩衝され、作業者に大きな衝撃力が加わるのが防止される。
【００３１】
ここで、第１屈曲部Ｃ１　乃至第９屈曲部Ｃ９　のうちの少なくとも一つの屈曲部は両端から中央に向けて軸径が次第に大きくされているため、屈曲部を全体にわたって同一径とした緩衝環に比較して、緩衝効果の大きい緩衝環１０を得ることができる。
【００３２】
図２に示すように、緩衝環１０における一対の緩衝用ロッド１３は、巻取ケース４の外周に沿って折曲げられ、その緩衝用ロッド１３と巻取ケース４の外周に形成された隙間はフック６の先端部が挿入不可能な大きさであるため、胴ベルト１にフックを有する補助ランヤードが接続されている場合において、その補助ランヤードのフックを緩衝環１０に係合させることはできない。このため、補助ランヤードによるＵ字つりの使用を確実に防止することができる。
【００３３】
【発明の効果】
以上のように、この発明においては、胴ベルトと巻取器とを連結する緩衝環の一対の緩衝ロッドを巻取器の巻取ケースの端部外周に沿って折曲げ、その緩衝ロッドと巻取ケースとの間に形成された隙間を巻取器により巻取られるベルトの先端のフックが挿入不可能な大きさとしたことによって、補助ランヤードによるＵ字つりの使用を確実に防止することができる。
【００３４】
また、緩衝ロッドに形成された屈曲部を両端から中央に向けて軸径を次第に大きくしたことによって、緩衝環の緩衝効果を高めることができる。
【図面の簡単な説明】
【図１】この発明に係る高所作業用安全帯の実施の形態を示す正面図
【図２】図１に示す高所作業用安全帯の巻取器の取付け部を拡大して示す正面図
【図３】図２の平面図
【図４】図３のＩＶ−ＩＶ線に沿った断面図
【図５】緩衝環を示す斜視図
【図６】緩衝環の形成途中の状態を示す正面図
【符号の説明】
１　胴ベルト
３　巻取器
４　巻取ケース
５　ベルト
６　フック
１０　緩衝環
１１　ベルト連結用ロッド
１２　器具連結用ロッド
１３　緩衝用ロッド
Ｃ１　〜Ｃ９　　屈曲部
【図１】
2004033398.tif 000003
【図２】
2004033398.tif 000004
【図３】
2004033398.tif 000005
【図４】
2004033398.tif 000006
【図５】
2004033398.tif 000007
【図６】
2004033398.tif 000008